(57)【要約】      （修正有）【課題】電力需要に応えるために多数の車両を電力網に接続する送受電管理装置及びプログラムを提供する。【解決手段】送受電システムにおいて、送受電管理装置（管理サーバ）は、電力網における電力需要を示す情報を取得する需要情報取得部と、電力需要に応じて、蓄積されているエネルギー量が予め定められた蓄積量より大きく、かつ、蓄積可能なエネルギー量が予め定められた蓄積可能量より大きい駆動用電源を備える車両を、電力網との間で送受電させる車両として選択する選択部と、選択部が選択した車両のユーザへ通知させる通知制御部とを備える。【選択図】図２
2020115704.tif 000002
【特許請求の範囲】
【請求項１】
電力網における電力需要を示す情報を取得する需要情報取得部と、
前記電力需要に応じて、蓄積されているエネルギー量が予め定められた蓄積量より大きく、かつ、蓄積可能なエネルギー量が予め定められた蓄積可能量より大きい駆動用電源を備える車両を、前記電力網との間で送受電させる車両として選択する選択部と、
前記選択部が選択した車両のユーザへ通知させる通知制御部と
を備える送受電管理装置。
【請求項２】
前記駆動用電源はバッテリであり、
前記選択部は、前記電力需要に応じて、残容量が予め定められた残容量値より大きく、かつ、空き容量が予め定められた空き容量値より大きいバッテリを備える車両を、前記電力網との間で送受電させる車両として選択する
請求項１に記載の送受電管理装置。
【請求項３】
前記電力需要を示す情報は、前記電力網における調整力の需要を示す情報であり、
前記選択部は、前記調整力の需要が予め定められた値より大きい場合に、残容量が予め定められた残容量値より大きく、かつ、空き容量が予め定められた空き容量値より大きいバッテリを備える車両＜を、他の車両より優先して、前記電力網との間で送受電させる車両として選択する
請求項２に記載の送受電管理装置。
【請求項４】
前記通知制御部は、前記選択部が選択した前記車両のユーザへ、前記車両が前記電力網と送受電可能にされることに対する対価を通知させる
請求項２又は３に記載の送受電管理装置。
【請求項５】
前記選択部は、前記電力需要に応じて、前記残容量が予め定められた残容量値より大きく、かつ、空き容量が予め定められた空き容量値より大きく、かつ、バッテリ温度が予め定められた範囲内のバッテリを備える車両を、前記電力網との間で送受電させる車両として選択する
請求項２から４のいずれか一項に記載の送受電管理装置。
【請求項６】
前記選択部は、前記電力需要に応じて、前記残容量が予め定められた残容量値より大きく、かつ、空き容量が予め定められた空き容量値より大きく、かつ、バッテリ温度がバッテリの残容量から定まる予め定められた範囲内のバッテリを備える車両を、前記電力網との間で送受電させる車両として選択する
請求項５に記載の送受電管理装置。
【請求項７】
前記電力需要に応じて、前記電力網との間で送受電可能な車両に、前記電力網との間で送受電を行わせる送受電制御部
をさらに備える請求項２から６のいずれか一項に記載の送受電管理装置。
【請求項８】
前記車両のユーザから、前記車両が備えるバッテリに確保されるべき最小容量値を示す情報を取得する容量情報取得部
をさらに備え、
前記送受電制御部は、前記バッテリの残容量が前記最小容量値を下回らないように、前記電力網との間で送受電を行わせる
請求項７に記載の送受電管理装置。
【請求項９】
前記選択部は、残容量が前記予め定められた残容量値と前記最小容量値との和より大きく、かつ、空き容量が予め定められた空き容量値より大きいバッテリを備える車両を、前記電力網との間で送受電させる車両として選択する
請求項８に記載の送受電管理装置。
【請求項１０】
前記車両の走行履歴に基づいて、前記最小容量値の推奨値を示す情報を前記ユーザに提示する容量情報提示部
をさらに備える請求項８又は９に記載の送受電管理装置。
【請求項１１】
前記ユーザから取得した前記最小容量値が小さいほど、より大きい対価を示す情報を前記ユーザに対応づける対価制御部
をさらに備える請求項８から１０のいずれか一項に記載の送受電管理装置。
【請求項１２】
前記選択部が選択した前記車両が前記電力網との間で送受電可能であった場合に、前記車両が前記電力網との間で送受電可能であったことに対する対価を示す情報を前記車両のユーザに対応づける対価制御部
をさらに備える請求項１から１０のいずれか一項に記載の送受電管理装置。
【請求項１３】
コンピュータを請求項１から１２のいずれか一項に記載の送受電管理装置として機能させるためのプログラム。
【発明の詳細な説明】
【技術分野】
【０００１】
本発明は、送受電管理装置及びプログラムに関する。
【背景技術】
【０００２】
電気自動車の充放電時の電力取引において、エネルギー蓄積量レベル毎のエネルギーの取引価格帯として蓄積量別価格帯を定義してエネルギー取引を管理する装置が知られている（例えば、下記特許文献１等を参照）。
［先行技術文献］
［特許文献］
［特許文献１］  特許５６０６４０６号公報
［特許文献２］  特許６３２１７６３号公報
【発明の概要】
【発明が解決しようとする課題】
【０００３】
電力網における電力需給のギャップによって電圧変動や周波数変動が生じ得る。電力需給ギャップに対する少なくとも一部の調整力を車両の駆動用電源によって提供するシステムにおいては、駆動用電源に蓄積可能なエネルギー量が少ない車両のみでは充分な調整力を提供できないため、駆動用電源に蓄積可能なエネルギー量が大きい車両も電力網に接続されている場合がある。そのため、電力需要に応えるためには多数の車両が電力網に接続されている必要があった。
【課題を解決するための手段】
【０００４】
本発明の第１の態様においては、送受電管理装置が提供される。送受電管理装置は、電力網における電力需要を示す情報を取得する需要情報取得部を備えてよい。送受電管理装置は、電力需要に応じて、蓄積されているエネルギー量が予め定められた蓄積量より大きく、かつ、蓄積可能なエネルギー量が予め定められた蓄積可能量より大きい駆動用電源を備える車両を、前記電力網との間で送受電させる車両として選択する選択部を備えてよい。送受電管理装置は、選択部が選択した車両のユーザへ通知させる通知制御部を備えてよい。
【０００５】
駆動用電源はバッテリであってよい。選択部は、電力需要に応じて、残容量が予め定められた残容量値より大きく、かつ、空き容量が予め定められた空き容量値より大きいバッテリを備える車両を、電力網との間で送受電させる車両として選択してよい。
【０００６】
電力需要を示す情報は、前記電力網における調整力の需要を示す情報であってよい。選択部は、前記調整力の需要が予め定められた値より大きい場合に、残容量が予め定められた残容量値より大きく、かつ、空き容量が予め定められた空き容量値より大きいバッテリを備える車両を、他の車両より優先して、前記電力網との間で送受電させる車両として選択してよい。
【０００７】
通知制御部は、前記選択部が選択した前記車両のユーザへ、前記車両が前記電力網と送受電可能にされることに対する対価を通知させてよい。
【０００８】
選択部は、前記電力需要に応じて、前記残容量が予め定められた残容量値より大きく、かつ、空き容量が予め定められた空き容量値より大きく、かつ、バッテリ温度が予め定められた範囲内のバッテリを備える車両を、前記電力網との間で送受電させる車両として選択してよい。
【０００９】
選択部は、前記電力需要に応じて、前記残容量が予め定められた残容量値より大きく、かつ、空き容量が予め定められた空き容量値より大きく、かつ、バッテリ温度がバッテリの残容量から定まる予め定められた範囲内のバッテリを備える車両を、前記電力網との間で送受電させる車両として選択してよい。
【００１０】
送受電管理装置は、電力需要に応じて、前記電力網との間で送受電可能な車両に、前記電力網との間で送受電を行わせる送受電制御部をさらに備えてよい。
【００１１】
送受電管理装置は、前記車両のユーザから、前記車両が備えるバッテリに確保されるべき最小容量値を示す情報を取得する容量情報取得部をさらに備えてよい。送受電制御部は、前記バッテリの残容量が前記最小容量値を下回らないように、前記電力網との間で送受電を行わせてよい。
【００１２】
選択部は、残容量が前記予め定められた残容量値と前記最小容量値との和より大きく、かつ、空き容量が予め定められた空き容量値より大きいバッテリを備える車両を、前記電力網との間で送受電させる車両として選択してよい。
【００１３】
送受電管理装置は、前記車両の走行履歴に基づいて、最小容量値の推奨値を示す情報を前記ユーザに提示する容量情報提示部をさらに備えてよい。
【００１４】
送受電管理装置は、前記ユーザから取得した前記最小容量値が小さいほど、より大きい対価を示す情報を前記ユーザに対応づける対価制御部をさらに備えてよい。
【００１５】
送受電管理装置は、前記選択部が選択した前記車両が前記電力網との間で送受電可能であった場合に、前記車両が前記電力網との間で送受電可能であったことに対する対価を示す情報を前記車両のユーザに対応づける対価制御部を備えてよい。
【００１６】
本発明の第２の態様においては、プログラムが提供される。プログラムは、コンピュータを、上記の送受電管理装置として機能させる。
【００１７】
なお、上記の発明の概要は、本発明の必要な特徴の全てを列挙したものではない。また、これらの特徴群のサブコンビネーションもまた、発明となりうる。
【図面の簡単な説明】
【００１８】
【図１】送受電システム１００の基本構成を概略的に示す。
【図２】管理サーバ４０の機能構成を概略的に示す。
【図３】バッテリ３２の残容量及び空き容量を説明するための模式的な図である。
【図４】バッテリ３２の空き容量Ｃｆが需給調整用の空き容量値Δ２より小さい場合を模式的に示す図である。
【図５】バッテリ３２の充電時及び放電時に生じる反応熱量のＳＯＣに対する依存性を示すグラフである。
【図６】充放電可能なバッテリ３２を特定するための条件を示すグラフである。
【図７】履歴格納部２８４に格納される履歴情報の一例をテーブル形式で示す。
【図８】電力網１０との間で送受電させるべき車両３０を選択する処理に関するフローチャートである。
【図９】ボーナス対価の通知画面９００の一例を示す。
【図１０】充放電設備２０に接続されていたことに対する対価を通知する処理に関するフローチャートである。
【図１１】ユーザ８０に与えられたボーナス対価の通知画面１１００の一例を示す。
【図１２】対価情報格納部２８２に格納される対価情報の一例をテーブル形式で示す。
【図１３】本発明の複数の実施形態が全体的又は部分的に具現化され得るコンピュータ２０００の例を示す。
【発明を実施するための形態】
【００１９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００２０】
図１は、送受電システム１００の基本構成を概略的に示す。送受電システム１００は、例えば電力アグリゲータが、車両が備えるバッテリを用いて、車両と電力網との間の電力を融通するＶ２Ｇ（Ｖｅｈｉｃｌｅ−ｔｏ−Ｇｒｉｄ）を行うためのシステムである。送受電システム１００は、電力需要に対して適切な残容量を持つバッテリを備える車両が電力網に接続されるよう促進する機能を有する。なお、車両が電力網へ電力を放出すること、及び、車両が電力網から電力を受け取ることの少なくとも何れかを行うことをＶ２Ｇと呼ぶ。
【００２１】
送受電システム１００は、車両３０ａ、車両３０ｂ及び車両３０ｃを含む複数の車両と、定置バッテリ１４と、複数の充放電設備２０と、管理サーバ４０と、発電設備１２と、ユーザ端末８２ａ、ユーザ端末８２ｂ及びユーザ端末８２ｃを含む複数のユーザ端末とを備える。
【００２２】
ユーザ８０ａは車両３０ａのユーザであり、ユーザ８０ｂは車両３０ｂのユーザであり、ユーザ８０ｃは車両３０ｃのユーザである。なお、車両のユーザとは、車両の所有者や所有者の家族等、車両を使用する任意の人物であってよい。本実施形態において、ユーザ８０ａ、ユーザ８０ｂ、ユーザ８０ｃのそれぞれのユーザのことを「ユーザ８０」と総称する場合がある。
【００２３】
車両３０ａは、バッテリ３２ａを備える。車両３０ｂは、バッテリ３２ｂを備える。車両３０ｃは、バッテリ３２ｃを備える。本実施形態において、車両３０ａ、車両３０ｂ及び車両３０ｃを含む複数の車両のことを、「車両３０」と総称する場合がある。また、バッテリ３２ａ、バッテリ３２ｂ及びバッテリ３２ｃを含む複数のバッテリのことを、「バッテリ３２」と総称する場合がある。バッテリ３２は、リチウムイオン電池やニッケル水素電池等、様々な二次電池であり得る。
【００２４】
なお、バッテリ３２は、車両３０が備える駆動用電源の一例である。駆動用電源は、燃料電池等のように、燃料を消費して車両３０の動力源に提供される電気エネルギーを生成する電源を含む。燃料は、水素や、ガソリン、軽油及び天然ガス等の炭化水素燃料や、アルコール燃料等であってよい。駆動用電源は、車両３０の動力源に提供される電気エネルギーを生成することができる任意の電源であってよい。
【００２５】
車両３０は、輸送機器の一例である。車両３０は、例えば電気自動車、燃料電池自動車（ＦＣＶ）等、電気エネルギーにより駆動される動力源を備える車両である。電気自動車は、バッテリ式電動輸送機器（ＢＥＶ）や、動力の少なくとも一部を提供する内燃機関を備えるハイブリッド自動車又はプラグインハイブリッド電気自動車（ＰＨＥＶ）を含む。本実施形態において、車両３０は、駆動用電源としてバッテリ３２を備える電気自動車である。駆動用電源としてバッテリを採用する形態において、バッテリの放電は、駆動用電源からのエネルギーの放出に対応し、バッテリの充電は、駆動用電源へのエネルギーの蓄積に対応する。また、バッテリの残容量は、駆動用電源から供給可能な電力量又は電気量等、駆動用電源に蓄積されているエネルギー量に対応する。また、バッテリの空き容量は、駆動用電源に更に蓄積可能な電力量又は電気量等、駆動用電源に更に蓄積可能なエネルギー量に対応する。
【００２６】
ユーザ端末８２ａは、ユーザ８０ａが使用する通信端末である。ユーザ端末８２ｂは、ユーザ８０ｂが使用する通信端末である。ユーザ端末８２ｃは、ユーザ８０ｃが使用する通信端末である。ユーザ端末８２ａ、ユーザ端末８２ｂ及びユーザ端末８２ｃを含む複数のユーザ端末のことを、「ユーザ端末８２」と総称する場合がある。
【００２７】
ユーザ端末８２は、例えば携帯端末、パーソナルコンピュータ、車両ナビゲーション装置等であってよい。携帯端末としては、携帯電話、スマートフォン、ＰＤＡ、タブレット、ノートブック・コンピュータ、ラップトップ・コンピュータ、ウエアラブル・コンピュータ等を例示することができる。
【００２８】
管理サーバ４０は、通信ネットワークを通じて、車両３０、定置バッテリ１４、及びユーザ端末８２と通信可能である。管理サーバ４０はまた、通信ネットワークを通じて、電力取引サーバ５０と通信可能である。通信ネットワークは、有線通信又は無線通信の伝送路を含み得る。通信ネットワークは、インターネット、Ｐ２Ｐネットワーク、専用回線、ＶＰＮ、電力線通信回線、携帯電話回線等を含む通信網を含んでよい。
【００２９】
電力網１０は、電力系統の送電系統又は配電系統や、電力グリッドの配電網を含み得る。電力網１０は地域毎に設けられてよい。電力網１０はマイクログリッドであってよい。電力網１０は、電力を消費する電力機器と電源とを接続する任意の規模の配電網であってよい。例えば、電力網１０は、商業施設１５０等の任意の施設に設けられた配電網であってよい。電力網１０は建物毎に設けられてよい。車両３０、定置バッテリ１４、充放電設備２０、及び発電設備１２は、電力網１０に接続される。充放電設備２０、定置バッテリ１４、及び発電設備１２は、電力網１０との間で電力の送受電が可能である。なお、充放電設備２０は、車両３０と電力網１０との間で電力の送受電を行うための送受電設備の一例である。なお、充放電設備２０や定置バッテリ１４は、車両３０が備える駆動用電源にエネルギーを蓄積するための電気設備の一例である。
【００３０】
発電設備１２は、電力会社等によって管理される。充放電設備２０は、例えば、住宅に設置された充放電器や、共同住宅、ビルや商業施設１５０の駐車場又は公共スペースに設置された充放電スタンド等を含む。
【００３１】
車両３０は、充放電ケーブル２２を通じて充放電設備２０に接続される。すなわち、車両３０は、充放電ケーブル２２及び充放電設備２０を通じて、電力網１０に接続される。車両３０は、充放電設備２０を通じて、バッテリ３２と電力網１０との間で送受電を行う。例えば、車両３０は、バッテリ３２の放電により得られた電力を、充放電ケーブル２２及び充放電設備２０を介して、電力網１０へ放出する。また、車両３０は、充放電ケーブル２２及び充放電設備２０を介して電力網１０から供給される電力でバッテリ３２を充電する。なお、電力網１０との間の電力の送受電のことを「電力網１０との送受電」等と呼ぶ場合がある。
【００３２】
定置バッテリ１４は、電力アグリゲータによって管理される。車両３０のバッテリ３２は、定置バッテリ１４とともに仮想発電所を形成する。管理サーバ４０は、電力アグリゲータによって管理される。管理サーバ４０は、バッテリ３２と電力網１０との間、及び、定置バッテリ１４と電力網１０との間の送受電を制御する。
【００３３】
管理サーバ４０は、卸電力市場において入札により電力取引を行う。電力取引サーバ５０は、卸電力市場の運営者によって管理される。管理サーバ４０は、電力取引サーバ５０に対して、３０分を１コマとする時間単位で入札する。管理サーバ４０は、約定結果に基づいて各コマにおいてバッテリ３２及び定置バッテリ１４を放電させて、電力網１０へ電力を供給する。
【００３４】
例えば、管理サーバ４０は、卸電力市場における電力アグリゲータの入札に対する約定量に従って、バッテリ３２及び定置バッテリ１４を放電させて、バッテリ３２及び定置バッテリ１４から放出される電力を電力網１０へ供給する。また、管理サーバ４０は、需給調整市場における電力アグリゲータの入札に対して約定された調整力の範囲内で、バッテリ３２及び定置バッテリ１４の充放電を制御して、電力網１０における電力需給を調整する。例えば、管理サーバ４０は、送配電事業者や小売電気事業者からの上げディマンドレスポンス（上げＤＲ）、下げディマンドレスポンス（下げＤＲ）、及び上げ下げディマンドレスポンス（上げ下げＤＲ）に応じて、バッテリ３２及び定置バッテリ１４の充放電を制御する。
【００３５】
具体的には、管理サーバ４０は、上げＤＲに応じて、車両３０及び充放電設備２０の少なくとも一方を制御することにより、充放電設備２０を通じて電力網１０から受け取った電力で車両３０のバッテリ３２を充電させる。また、管理サーバ４０は、下げＤＲに応じて、車両３０及び充放電設備２０の少なくとも一方を制御することにより、車両３０のバッテリ３２を放電させ、バッテリ３２の放電によって得られた電力を充放電設備２０を通じて電力網１０へ向けて放出させる。
【００３６】
本実施形態において、管理サーバ４０は、バッテリ３２の残容量及び空き容量がそれぞれ予め定められた容量値より大きい車両３０のユーザ８０に、電力網１０に接続するよう促す。バッテリ３２の残容量及び空き容量が大きい車両３０によれば、例えば電力需要に対して発電設備１２の供給電力が不足する場合に電力網１０に電力供給することができるだけでなく、電力需要に対して発電設備１２の供給電力が余剰となる場合に余剰電力を吸収することもできる。そのため、より少数の車両３０によって、電力網１０において電力需要が大きい場合と電力需要が小さい場合との両方の場合に対応することができる。そのため、電力アグリゲータは少数の車両３０を管理することで、車両３０と電力網１０との間で送受電可能な容量を確保することができる。
【００３７】
なお、本実施形態において、送受電とは、車両３０及び電力網１０の少なくとも一方から他方への電力の受け渡しが生じることを意味する。例えば、送受電とは、車両３０から電力網１０に向けた電力の放出が行われることを意味してよい。また、送受電とは、電力網１０から車両３０に向けた送電が行われることを意味してよい。なお、自宅等の電力需要家に設置した充放電器を通じて車両３０が電力を放出する場合において、電力需要家側の消費電力が車両３０から放出される電力より大きいときには、電力需要家側と電力網１０との接続点において電力網１０への正味の電力供給は生じず、接続点から電力需要家への電力供給量が単に減少するだけの場合がある。この場合でも、電力網１０から見ると、電力網１０外との間で電力の受け渡しが生じたとみなすことができる。したがって、本実施形態において、車両３０が電力を放出する場合における電力網１０との送受電において、電力網１０が車両３０との間の特定の接続点から正味の電力を受け取るか否かは問わない。
【００３８】
図２は、管理サーバ４０の機能構成を概略的に示す。管理サーバ４０は、処理部４２と、格納部４８と、通信部４６とを備える。
【００３９】
処理部４２は、プロセッサを含む処理装置により実現される。格納部４８は、不揮発性の記憶装置により実現される。処理部４２は、格納部４８に格納された情報を用いて処理を行う。通信部４６は、車両３０、定置バッテリ１４、ユーザ端末８２、及び電力取引サーバ５０との間の通信を担う。通信部４６が車両３０、定置バッテリ１４、ユーザ端末８２及び電力取引サーバ５０から受信した情報は、処理部４２に供給される。また、車両３０、定置バッテリ１４、ユーザ端末８２及び電力取引サーバ５０へ送信される情報は、処理部４２により生成され、通信部４６を介して送信される。
【００４０】
管理サーバ４０は、送受電管理装置として機能する。管理サーバ４０は、１つの情報処理装置で実現されるシステムであってよいし、複数の情報処理装置で実現されるシステムであってもよい。
【００４１】
処理部４２は、選択部２００と、通知制御部２３０と、容量情報取得部２４０、容量提示制御部２５０と、対価制御部２７０と、送受電制御部２８０と、需要情報取得部２９０とを備える。
【００４２】
格納部４８は、対価情報格納部２８２と、履歴格納部２８４とを備える。対価情報格納部２８２は、ユーザ８０に提供された対価を示す対価情報を格納する。履歴格納部２８４は、車両３０の走行履歴を含む履歴情報を格納する。
【００４３】
需要情報取得部２９０は、電力網１０における電力需要を示す情報を取得する。選択部２００は、電力需要に応じて、残容量が予め定められた残容量値より大きく、かつ、空き容量が予め定められた空き容量値より大きいバッテリ３２を備える車両３０を、電力網１０との間で送受電させる車両３０として選択する。後述するように、選択部２００は、バッテリ３２の残容量が予め定められた残容量値Δ１より大きく、かつ、空き容量が予め定められた空き容量値Δ２より大きいバッテリ３２を備える車両３０を、電力網１０との間で送受電させる車両３０として選択してよい。
【００４４】
通知制御部２３０は、選択部２００が選択した車両３０のユーザ８０へ通知させる。例えば、通知制御部２３０は、通信部４６を通じてユーザ８０への通知情報を送信して、ユーザ端末８２にユーザ８０への通知を行わせる。
【００４５】
電力需要を示す情報は、電力網１０における調整力の需要を示す情報であってよい。選択部２００は、調整力の需要が予め定められた値より大きい場合に、残容量が予め定められた残容量値より大きく、かつ、空き容量が予め定められた空き容量値より大きいバッテリ３２を備える車両３０を、他の車両３０より優先して、電力網１０との間で送受電させる車両３０として選択してよい。
【００４６】
通知制御部２３０は、選択部２００が選択した車両３０のユーザ８０へ、車両３０が電力網１０と送受電可能にされることに対する対価を通知させてよい。また、対価制御部２７０は、選択部２００が選択した車両３０が電力網１０との間で送受電可能であった場合に、車両３０が電力網１０との間で送受電可能であったことに対する対価を示す対価情報を車両３０のユーザ８０に対応づける。例えば、対価制御部２７０は、ユーザ８０に対応づけられた対価情報を対価情報格納部２８２に格納してよい。なお、本実施形態において車両３０が充放電設備２０に接続されることは、「車両３０が電力網１０と送受電可能にされる」ことの一例である。
【００４７】
選択部２００は、電力需要に応じて、蓄積されているエネルギー量が予め定められた蓄積量より大きく、かつ、蓄積可能なエネルギー量が予め定められた蓄積可能量より大きいバッテリ３２を備える車両３０を、電力網１０との間で送受電させる車両３０として選択する。例えば、選択部２００は、電力需要に応じて、残容量が予め定められた残容量値より大きく、かつ、空き容量が予め定められた空き容量値より大きく、かつ、バッテリ３２温度が予め定められた範囲内のバッテリ３２を備える車両３０を、電力網１０との間で送受電させる車両３０として選択してよい。
【００４８】
選択部２００は、電力需要に応じて、残容量が予め定められた残容量値より大きく、かつ、空き容量が予め定められた空き容量値より大きく、かつ、バッテリ３２温度がバッテリ３２の残容量から定まる予め定められた範囲内のバッテリ３２を備える車両３０を、電力網１０との間で送受電させる車両３０として選択してよい。
【００４９】
送受電制御部２８０は、電力需要に応じて、電力網１０との間で送受電可能な車両３０に、電力網１０との間で送受電を行わせる。例えば、送受電制御部２８０は、車両３０のＥＣＵと通信して、車両３０が電力網１０と送受電可能な充放電設備２０に接続されているか否かを示す送受電可否情報を逐次取得する。送受電制御部２８０は、車両３０が電力網１０との間で送受電可能である場合に、需要情報取得部２９０が取得した電力需要に応じて、車両３０が備えるＥＣＵに対して、バッテリ３２の充放電を指示する。車両３０のＥＣＵは、送受電制御部２８０の指示に従って、充放電設備２０と通信し、車両３０の電力変換器を制御して、充放電設備２０を通じたバッテリ３２の充電や、バッテリ３２の放電により得られる電力の放出を行う。なお、送受電制御部２８０は、バッテリ３２の充電時における充放電設備２０から電力変換器への入力電力量、バッテリ３２の放電時における当該電力変換器から充放電設備２０への出力電力量、及びバッテリ３２のＳＯＣ（Ｓｔａｔｅ  ｏｆ  Ｃｈａｒｇｅ）を示す情報を、車両３０のＥＣＵから逐次取得してよい。送受電制御部２８０は、車両３０のＥＣＵから取得した情報に基づいて、車両３０と電力網１０との間の送受電を制御してよい。
【００５０】
なお、上述した電力取引における約定量は、電力需要を示す情報の一例である。電力需要を示す情報とは、電力取引における約定価格や、買い約定であるか売り約定であるかを示す約定種別であってよい。また、電力需要を示す情報とは、電力網１０におけるリアルタイムの需給アンバランス量を示す情報であってもよいし、将来における需給アンバランス量の予測値を示す情報であってもよい。電力需要を示す情報とは、電力網１０の電力需要家のリアルタイムの消費電力量又は当該消費電力の予測値を示す情報であってもよい。電力需要を示す情報として、電力量そのものに限らず、気温情報、湿度情報、気象情報、催事情報等、電力需要に直接的又は間接的に影響を与える様々な情報を適用できる。なお、電力取引市場としては、一日前市場、当日市場、需給調整力市場等の取引市場を例示できる。電力取引の取引形態としては、これらの電力取引市場における取引形態以外の様々な取引形態を適用できる。
【００５１】
容量情報取得部２４０は、車両３０のユーザ８０から、車両３０が備えるバッテリ３２に確保されるべき最小容量値を示す情報を取得する。例えば、容量情報取得部２４０は、ユーザ端末８２に入力された最小容量値を示す情報を、ユーザ端末８２及び通信部４６を通じて取得する。
【００５２】
送受電制御部２８０は、バッテリ３２の残容量が最小容量値を下回らないように、電力網１０との間で送受電を行わせてよい。選択部２００は、バッテリ３２の残容量が予め定められた残容量値と最小容量値との和より大きく、かつ、空き容量が予め定められた空き容量値より大きいバッテリ３２を備える車両３０を、電力網１０との間で送受電させる車両３０として選択してよい。例えば、後述するように、選択部２００は、バッテリ３２の残容量が予め定められた残容量値Δ１と最小容量値Ｃｍｉｎとの和より大きく、かつ、空き容量が予め定められた空き容量値Δ２より大きいバッテリ３２を備える車両３０を、電力網１０との間で送受電させる車両３０として選択してよい。
【００５３】
容量提示制御部２５０は、車両３０の走行履歴に基づいて、最小容量値の推奨値を示す情報をユーザ８０に提示させる。例えば、容量提示制御部２５０は、履歴格納部２８４に格納されている走行履歴情報に基づいて、最小容量値の推奨値を算出する。容量提示制御部２５０は、算出した最小容量値の推奨値を示す情報を、通信部４６を通じてユーザ端末８２に送信して、ユーザ端末８２に、ユーザ８０への最小容量値の推奨値の提示を行わせる。なお、対価制御部２７０は、ユーザ８０から取得した最小容量値が小さいほど、より大きい対価を示す情報をユーザ８０に対応づける。
【００５４】
管理サーバ４０によれば、電力需要の変動に対応することができるバッテリ残容量及び空き容量を持つ車両が、電力網１０に接続されることを促進することができる。そのため、電力アグリゲータは、電力網１０との間の送受電容量を確保するために管理する必要がある車両３０の台数を削減することできる。ひいては、電力網１０の安定化に寄与する。
【００５５】
なお、送受電管理装置の機能は、管理サーバ４０単独で実現されてよいし、管理サーバ４０と車両３０のＥＣＵとの組み合わせによって実現されてよい。例えば、管理サーバ４０が実行する処理の少なくとも一部を、車両３０のＥＣＵが実行してよい。例えば、選択部２００、通知制御部２３０、容量情報取得部２４０、容量提示制御部２５０、対価制御部２７０、送受電制御部２８０、需要情報取得部２９０、対価情報格納部２８２、履歴格納部２８４により実現される機能の少なくとも一部が、車両３０のＥＣＵにより実現されてよい。
【００５６】
図３は、バッテリ３２の残容量及び空き容量を説明するための模式的な図である。図３において、Ｃｔｏｔａｌはバッテリ３２の全体容量を示す。例えば、Ｃｔｏｔａｌは、バッテリ３２の満充電容量であってよい。
【００５７】
Ｃ１は、バッテリ３２において最低限確保されるべき容量を示す。車両３０のＥＣＵは、バッテリ３２のＳＯＣがＣ１に対応するＳＯＣ未満にならないように、バッテリ３２の放電を制御する。Ｃ２は、バッテリ３２において充電されることが禁止された容量を示す。車両３０のＥＣＵは、例えばバッテリ３２の過充電を防ぐために、バッテリ３２のＳＯＣがＣｔｏｔａｌ−Ｃ２に対応するＳＯＣを超えないように、バッテリ３２の充電を制御する。例えば、Ｃ１及びＣ２はそれぞれＣｔｏｔａｌの５％である場合、車両３０のＥＣＵは、バッテリ３２のＳＯＣが５％から９５％の範囲内に収まるように、バッテリ３２の充放電を制御する。
【００５８】
Ｃｍｉｎは、ユーザ８０によって指定された、バッテリ３２に確保されるべき最小容量値を示す。管理サーバ４０の送受電制御部２８０がバッテリ３２を放電させる場合、バッテリ３２のＳＯＣがＣ１＋Ｃｍｉｎに対応するＳＯＣ未満にならないように放電する。送受電制御部２８０が、車両３０と電力網１０との間で送受電させる場合、バッテリ３２のＳＯＣがＣ１＋ＣｍｉｎからＣｔｏｔａｌ−Ｃ２に対応するＳＯＣの範囲内になるように、バッテリ３２の充放電を制御する。これにより、ユーザ８０は、少なくともＣｍｉｎ分の電池容量を車両３０で使用することができる。
【００５９】
Ｃ３は、バッテリ３２の現在の残存容量を示す。Ｃｒは、バッテリ３２において利用可能な残容量を示す。具体的には、残容量Ｃｒは、Ｃ３−Ｃ１である。残容量ＣｒにはＣ１は含まれない。すなわち、Ｃｒは、バッテリ３２において許容される放電可能な容量である。また、Ｃｆは、バッテリ３２において利用可能な空き容量を示す。具体的には、空き容量Ｃｆは、Ｃｔｏｔａｌ−Ｃ２である。容量ＣｆにはＣ２は含まれない。すなわち、Ｃｆは、バッテリ３２において許容される充電可能な容量である。
【００６０】
図３において、Δ１は、需給調整のために望まれる残容量値を示す。Δ２は、需給調整のために望まれる空き量値を示す。管理サーバ４０の選択部２００は、電力網１０との間で送受電させるべき車両３０として、残容量Ｃｒが少なくとも残容量値Δ１を超えており、かつ、空き容量が少なくとも空き容量値Δ２を超えている車両３０を選択する。なお、Δ１とΔ２とは同一の値であってよく、異なる値であってもよい。
【００６１】
なお、図３に示すように、ユーザ８０によってＣｍｉｎが定められている場合、選択部２００は、電力網１０との間で送受電させるべき車両３０として、残容量Ｃｒが少なくともＣｍｉｎ＋Δ１を超えており、かつ、空き容量が少なくともΔ２を超えている車両３０を選択する。残容量ＣｒがＣｍｉｎ＋Δ１を超えており、かつ、空き容量ＣｆがΔ２を超えている車両３０を選択する。対価制御部２７０は、選択した車両３０が充放電設備２０に接続されていた場合にユーザ８０に与えられる対価を、少なくとも残容量Ｃｒ及び空き容量Ｃｆに基づいて算出する。
【００６２】
一例として、車両３０が充放電設備２０に接続されていた場合、バッテリ３２のＣｒ及びＣｆによらず、基本対価が与えられる。残容量ＣｒがＣｍｉｎ＋Δ１を超えており、かつ、空き容量ＣｆがΔ２を超えているバッテリ３２を備える車両３０のユーザ８０には、基本対価に加えて、ボーナス対価が与えられる。
【００６３】
ボーナス対価は、例えば、Ｃｒ−Ｃｍｉｎ及びＣｆの小さい方の容量値に、係数Ｋ０及び係数ＫＴを乗じることによって、算出される。係数Ｋ０は、ユーザ８０に与えられる対価としてのポイントに換算するための換算係数である。係数ＫＴはバッテリ３２の温度に依存する０以上の係数である。係数ＫＴについては後述する。
【００６４】
対価制御部２７０は、選択部２００により選択された車両３０のユーザ８０に、ボーナス対価を示す情報を対応づける。また、対価制御部２７０は、ボーナス対価を示す情報を通信部４６を通じてユーザ端末８２に送信させて、ユーザ端末８２からユーザ８０への提示を行わせる。
【００６５】
図４は、バッテリ３２の空き容量Ｃｆが需給調整用の空き容量値Δ２より小さい場合を模式的に示す図である。空き容量Ｃｆが空き容量値Δ２より小さい場合、ボーナス対価は０となる。すなわち、対価制御部２７０は、空き容量Ｃｆが空き容量値Δ２より小さいバッテリ３２を備える車両３０が充放電設備２０に接続されていた場合、基本対価のみがユーザ８０に与えられ、ボーナス対価は与えられない。
【００６６】
図５は、バッテリ３２の充電時及び放電時にバッテリ３２に生じる熱量のＳＯＣに対する依存性を示すグラフである。図５の縦軸は発生する熱量を示す。熱量が０より大きい領域は発熱が生じることを示し、熱量が０未満は吸熱が生じることを示す。図５の横軸はＳＯＣを示す。
【００６７】
バッテリ３２の充電時において、ＳＯＣがＳ２より大きい場合又はＳＯＣがＳ１未満の場合は吸熱反応が生し、ＳＯＣがＳ１より大きくＳ２未満の場合は発熱反応が生じる。ＳＯＣがＳ３において発熱量は極大値をとる。
【００６８】
一方、バッテリ３２の放電時において、ＳＯＣがＳ２より大きい場合又はＳＯＣがＳ１未満の場合は発熱反応が生し、ＳＯＣがＳ１より大きくＳ２未満の場合は吸熱反応が生じる。ＳＯＣがＳ３において吸熱量は極大値をとる。
【００６９】
バッテリ３２には、通常、バッテリ３２を充電又は放電することを許容する温度範囲が定められる。車両３０のＥＣＵは、バッテリ３２の温度が当該温度範囲外の場合には、バッテリ３２の充放電を行わない。
【００７０】
したがって、例えばバッテリ３２のＳＯＣがＳ１とＳ２との間にあり、バッテリ３２の温度が温度範囲の上限近くにある場合にバッテリ３２を充電した場合、充電に伴って生じる発熱によってバッテリ３２の温度が温度範囲の上限を超えて、バッテリ３２の充電は停止される可能性がある。また、例えばバッテリ３２のＳＯＣがＳ１とＳ２との間にあり、バッテリ３２の温度が温度範囲の下限近くにある場合にバッテリ３２を放電した場合、放電に伴って生じる吸熱によってバッテリ３２の温度が温度範囲の下限を下回ると、バッテリ３２の放電は停止される可能性がある。
【００７１】
そのため、バッテリ３２のＳＯＣ及びバッテリ３２の温度によっては、バッテリ３２と電力網１０との間の送受電を行えなくなる可能性がある。そのため、選択部２００は、電力網１０との間で送受電させるべき車両３０を、バッテリ３２のＳＯＣ及びバッテリ３２の温度をさらに考慮して選択することが望ましい。
【００７２】
図６は、充放電可能なバッテリ３２を特定するための条件を示すグラフである。図６の縦軸はバッテリ温度を示し、横軸はバッテリのＳＯＣを示す。
【００７３】
領域６００は、充放電可能なバッテリ３２が満たす条件を示す。選択部２００は、バッテリ温度及びＳＯＣが領域６００内にあるバッテリ３２を、充放電可能なバッテリ３２として特定する。
【００７４】
領域６００は、ライン６０１とライン６０２との間の領域である。ライン６０１は、Ｓ１及びＳ２で極大値をとり、Ｓ３で極小値をとる。ライン６０２は、Ｓ１及びＳ２で極小値をとり、Ｓ３で極大値をとる。任意のＳＯＣにおいてライン６０１が示す温度はライン６０２が示す温度より高い。ライン６０１及びライン６０２は、バッテリ３２の充電及び放電のいずれを行った場合でもバッテリ３２の温度が充放電可能な温度範囲内に収まるように、図５に関連して説明した充放電に伴う発熱及び吸熱を考慮して、予め定められる。
【００７５】
選択部２００は、バッテリ温度及びＳＯＣが領域６００内にない車両３０より、バッテリ温度及びＳＯＣが領域６００内にあるバッテリ３２を備える車両３０を優先的に選択する。例えば、選択部２００は、バッテリ温度及びＳＯＣが領域６００内にあるバッテリ３２を備える車両３０を、電力網１０との間で送受電させるべき車両３０として選択し、バッテリ温度及びＳＯＣが領域６００外にあるバッテリ３２を備える車両３０を、電力網１０との間で送受電させるべき車両３０として選択しない。
【００７６】
具体的には、選択部２００は、現在のバッテリ温度が、現在のＳＯＣとライン６０１とから定まる温度より低く、かつ、現在のバッテリ温度が、現在のＳＯＣとライン６０２とから定まる温度より高いバッテリ３２を備える車両３０を、電力網１０との間で送受電を行うべき車両として優先して選択する。
【００７７】
また、領域６００において係数ＫＴは０より大きく、領域６００外の領域において係数ＫＴは０に設定される。図３に関連して説明したように、対価制御部２７０は、Ｋ０と、Ｃｒ及びＣｆと、係数ＫＴとから定まるボーナス対価を、選択部２００が選択した車両３０のユーザ８０に与える。
【００７８】
これにより、バッテリ温度が充放電を行うことができる温度範囲にあるバッテリ３２を備える車両３０のユーザ８０に、ボーナス対価を与えることができる。そのため、例えば、電力需給の調整力を提供することができるＳＯＣを持ち、かつ、充放電を確実に行うことができる車両３０を優先的に選択して、その車両３０のユーザに対価を与えることができる。
【００７９】
なお、バッテリ３２の充放電時の温度変化は、環境温度にも依存する。そのため、図６に示す領域６００により示される条件は、複数の環境温度に対応づけて複数定められてよい。選択部２００は、バッテリ３２の温度及びＳＯＣに基づいて、現在の車両３０の周囲の環境温度に対応する条件を満たす車両３０を、電力網１０との間で送受電させるべき車両として選択してよい。
【００８０】
なお、図５に示すバッテリの熱特性は、バッテリ３２を構成する電池セルの種別に依存する。そのため、図６に示す条件は、バッテリ３２の種別毎に定められてよい。
【００８１】
図７は、履歴格納部２８４に格納される履歴情報の一例をテーブル形式で示す。履歴情報は、車両ＩＤと、時刻と、バッテリＳＯＣと、バッテリ温度と、車両位置と、車両状態とを対応づける。
【００８２】
車両ＩＤには、車両３０の識別情報が格納される。時刻には、履歴が取得された時刻又は期間が格納される。バッテリＳＯＣには、バッテリ３２のＳＯＣが格納される。バッテリ温度には、バッテリ３２の温度が格納される。車両位置には、車両３０の位置が格納される。位置情報としては、緯度経度情報等の地理的情報の他に、車両３０が接続された充放電設備２０の識別情報、自宅か否かを示す情報等、車両３０の位置を特定できる任意の情報を適用できる。車両状態には、車両３０の状態が格納される。車両３０の状態としては、停車、走行開始、走行中、充電開始、充電中、充電終了等であってよい。管理サーバ４０は、車両３０のＥＣＵで取得された車両データを車両３０のＥＣＵから逐次に受信して、受信した車両データに基づいて履歴情報を生成してよい。
【００８３】
なお、容量提示制御部２５０は、履歴情報に基づいて、各車両３０の最小容量値Ｃｍｉｎの推奨値を決定してよい。例えば、容量提示制御部２５０は、履歴情報を参照して、車両３０において繰り返される走行パターンを特定して、特定した走行パターンで走行したときに消費される電力量に基づいて、最小容量値Ｃｍｉｎを決定してよい。容量提示制御部２５０は、決定した最小容量値Ｃｍｉｎを示す情報を、通信部４６を通じてユーザ端末８２へと送信させてよい。
【００８４】
図８は、電力網１０との間で送受電させるべき車両３０を選択する処理に関するフローチャートである。図８のフローチャートは、主として管理サーバ４０の処理部４２において実行される。本フローチャートの処理は、例えば、管理サーバ４０において定期的に実行されてよい。例えば、本フローチャートの処理は、３０分毎に実行されてよい。例えば、本フローチャートの処理は、電力取引の入札単位である３０分のコマ毎に、各コマの開始時刻のＮ時間前の時点で、実行されてよい。
【００８５】
Ｓ８０２において、需要情報取得部２９０は、調整力の約定結果情報を取得する。例えば、需要情報取得部２９０は、現在からＮ時間後の３０分のコマにおける調整力の約定結果情報を取得する。
【００８６】
Ｓ８０４において、選択部２００は、調整力の約定量が、予め定められた閾値を超えるか否かを判断する。なお、調整力の約定量は、車両３０が提供する調整力の大きさを示す情報の一例である。調整力の約定量が予め定められた閾値を超える場合、Ｓ８０６において、選択部２００は、電力網１０との間で送受電させるべき車両３０を選択する。例えば、選択部２００は、図３から図６に関連して説明したように、バッテリ３２のＳＯＣ及び温度と、需給調整用の残容量値Δ１、需給調整用の空き容量値Δ２、最小容量値Ｃｍｉｎ等に基づいて、車両３０を選択する。
【００８７】
Ｓ８０８において、Ｓ８０６で選択された車両３０のそれぞれについて、充放電設備２０への接続に対するボーナス対価を算出する。例えば、対価制御部２７０は、図３から図６に関連して説明したように、Ｋ０と、ＫＴと、残容量Ｃｒ及び残容量値Δ１と、空き容量Ｃｆとに基づいて、ボーナス対価を決定する。
【００８８】
Ｓ８１０において、対価制御部２７０は、Ｓ８０８で決定したボーナス対価を示すボーナス対価情報をユーザ端末８２へ送信させることにより、ボーナス対価をユーザ８０に通知して、本フローチャートの処理を終了する。なお、Ｓ８０４の判断において、調整力の約定量が予め定められた閾値以下と判断された場合、本フローチャートの処理を終了する。
【００８９】
図９は、ボーナス対価の通知画面９００の一例を示す。通知画面９００は、ユーザ端末８２が管理サーバ４０からボーナス対価情報を受信したことに応じて、ユーザ端末８２に表示される。通知画面９００は、通知オブジェクト９１０を含む。通知オブジェクト９１０は、ボーナス対価が与えられる期間を示す情報９１２と、ボーナス対価が与えられるバッテリ残量の範囲を示す情報９１４とを含む。
【００９０】
通知画面９００によれば、ボーナス対価が与えられる期間をユーザ８０に事前に通知することができるので、車両３０を充放電設備２０に接続するようユーザ８０を促すことができる。また、ボーナス対価が与えられるバッテリ残量の範囲をユーザ８０に通知することができるので、バッテリ３２の残量がその範囲内にある状態で車両３０を充放電設備２０に接続するようユーザ８０を促すことができる。
【００９１】
図１０は、車両３０が充放電設備２０に接続されていたことに対する対価を通知する処理に関するフローチャートである。図１０のフローチャートは、主として管理サーバ４０の処理部４２において実行される。本フローチャートの処理は、例えば、管理サーバ４０において定期的に実行されてよい。例えば、本フローチャートの処理は、車両３０毎に毎日実行される。
【００９２】
Ｓ１００２において、対価制御部２７０は、車両３０が充放電設備２０に接続されていた期間を特定する。対価制御部２７０は、図７等に示す履歴情報に基づいて、車両３０が充放電設備２０に接続されていた期間を特定する。Ｓ１００４において、対価制御部２７０は、車両３０が充放電設備２０に接続されていた時間に応じて、基本対価を算出する。対価制御部２７０は、車両３０が充放電設備２０に接続されていた期間の長さに応じて基本対価を算出する。
【００９３】
Ｓ１００６において、対価制御部２７０は、車両３０が充放電設備２０に接続されていた期間のうち、バッテリ３２の状態がボーナス対価が与えられる条件を満たしていた期間があるか否かを判断する。例えば、対価制御部２７０は、充放電設備２０に接続されていた期間のうち、各期間の開始時刻におけるバッテリ３２のＳＯＣ及び温度が図６に示す領域６００内に存在する期間が存在するか否かを判断する。
【００９４】
Ｓ１００６の判断において、バッテリ３２の状態がボーナス対価が与えられる条件を満たしていた期間があると判断された場合、Ｓ１００８において、対価制御部２７０は、ユーザ８０に与えるボーナス対価を決定する。例えば、対価制御部２７０は、図３から図６等に関連して説明したように、Ｋ０と、ＫＴと、残容量Ｃｒ及び残容量値Δ１と、空き容量Ｃｆとに基づいて、ボーナス対価を決定する。
【００９５】
Ｓ１０１０において、対価制御部２７０は、基本対価とＳ１００８で決定したボーナス対価との和を示す対価情報を、ユーザ８０の識別情報に対応づけて対価情報格納部２８２に格納する。また、Ｓ１０１２において、対価制御部２７０は、ボーナス対価を示すボーナス対価付与情報をユーザ端末８２へ送信させることにより、ボーナス対価をユーザ８０に通知して、本フローチャートの処理を終了する。
【００９６】
なお、Ｓ１００６の判断において、バッテリ３２の状態がボーナス対価が与えられる条件を満たしていた期間がないと判断された場合、Ｓ１０２０において、対価制御部２７０は、基本対価を示す対価情報を、ユーザ８０の識別情報に対応づけて対価情報格納部２８２に格納して、本フローチャートの処理を終了する。
【００９７】
図１１は、ユーザ８０に与えられたボーナス対価の通知画面１１００の一例を示す。通知画面１１００は、ユーザ端末８２が管理サーバ４０からボーナス対価付与情報を受信したことに応じて、ユーザ端末８２に表示される。通知画面１１００は、通知オブジェクト１１１０を含む。通知オブジェクト１１１０は、ユーザ８０に与えられたボーナス対価を示す情報１１１２と、ボーナス対価が与えられるＳＯＣ範囲を示す情報１１１４とを含む。
【００９８】
通知画面１１００によれば、ボーナス対価が与えられたことをユーザ８０に通知することができるので、車両３０をいつも充放電設備２０に接続するようユーザ８０に促すことができる。また、ボーナス対価が与えられるバッテリ残量の範囲をユーザ８０に通知することができるので、バッテリ３２の残量がその範囲内にある状態で車両３０を充放電設備２０に接続するようユーザ８０に促すことができる。
【００９９】
図１２は、対価情報格納部２８２に格納される対価情報の一例をテーブル形式で示す。対価情報は、ユーザＩＤと、現在ポイントと、累計ポイントとを対応づける。
【０１００】
ユーザＩＤには、ユーザ８０の識別情報が格納される。現在ポイントには、ユーザ８０に提供されている現在のポイントが格納される。累計ポイントには、現在までにユーザ８０に提供されたポイントの合計値が格納される。累計ポイントには、予め定められた時間だけ前の時点から現在までの期間にユーザ８０に提供されたポイントの合計値が格納される。
【０１０１】
累計ポイントは、ユーザ８０が予定期間において充放電設備２０に車両３０を接続する期待値として利用できる。対価制御部２７０は、累計ポイントがより高いユーザ８０に、商業施設１５０におけるクーポン等の対価を、より優先して付与してよい。ユーザ８０に提供されている現在ポイントは、商業施設１５０の商品の代価として使用可能であってよい。また、対価制御部２７０は、累計ポイントに応じて、車両３０のバッテリ３２からの買電単価及び車両３０への売電単価を設定してよい。例えば、対価制御部２７０は、累計ポイントが多いほど、買電単価を高くし、売電単価を低くしてよい。
【０１０２】
なお、送受電システム１００において、ユーザ８０は、ユーザ８０に提供されているポイントを、緊急時や災害時に車両３０を定置バッテリ１４で充電するために使用できる。例えば、管理サーバ４０の処理部４２は、ユーザ８０の現在ポイントが予め定められた値以上であり、ユーザ８０の車両３０のバッテリ３２の残容量が予め定められた値より低い場合に、ユーザ８０に提供されている現在ポイントから予め定められた数のポイントを減算することと引き換えに、定置バッテリ１４によるバッテリ３２の充電を許可する。
【０１０３】
なお、本実施形態では、対価の一例としてのポイントをユーザ８０に与える形態を説明した。対価は、ポイントに限られない。例えば、充放電設備２０の利用料金の割り引きや、商業施設１５０の駐車場の利用料金の割り引きや、商業施設１５０における商品の購入代金の割り引き等を、対価として適用できる。ユーザ８０に価値またはインセンティブを与えるものであれば、金銭的か非金銭的かに限らず、どのようなものも対価として適用できる。
【０１０４】
以上に説明した送受電システム１００によれば、電力需要の変動に応じて充放電可能なバッテリ３２を備える車両３０が電力網１０に接続されるよう促すことができる。そのため、電力アグリゲータは、電力網１０との間の送受電容量を確保するために管理対象となる車両３０の台数を削減することできる。これにより、電力アグリゲータが送受電容量を確保し易くなるので、電力網１０の安定化に寄与する。
【０１０５】
図１３は、本発明の複数の実施形態が全体的又は部分的に具現化され得るコンピュータ２０００の例を示す。コンピュータ２０００にインストールされたプログラムは、コンピュータ２０００に、実施形態に係る管理サーバ４０等の装置又は当該装置の各部として機能させる、当該装置又は当該装置の各部に関連付けられるオペレーションを実行させる、及び／又は、実施形態に係るプロセス又は当該プロセスの段階を実行させることができる。そのようなプログラムは、コンピュータ２０００に、本明細書に記載の処理手順及びブロック図のブロックのうちのいくつか又はすべてに関連付けられた特定のオペレーションを実行させるべく、ＣＰＵ２０１２によって実行されてよい。
【０１０６】
本実施形態によるコンピュータ２０００は、ＣＰＵ２０１２、及びＲＡＭ２０１４を含み、それらはホストコントローラ２０１０によって相互に接続されている。コンピュータ２０００はまた、ＲＯＭ２０２６、フラッシュメモリ２０２４、通信インタフェース２０２２、及び入力／出力チップ２０４０を含む。ＲＯＭ２０２６、フラッシュメモリ２０２４、通信インタフェース２０２２、及び入力／出力チップ２０４０は、入力／出力コントローラ２０２０を介してホストコントローラ２０１０に接続されている。
【０１０７】
ＣＰＵ２０１２は、ＲＯＭ２０２６及びＲＡＭ２０１４内に格納されたプログラムに従い動作し、それにより各ユニットを制御する。
【０１０８】
通信インタフェース２０２２は、ネットワークを介して他の電子デバイスと通信する。フラッシュメモリ２０２４は、コンピュータ２０００内のＣＰＵ２０１２によって使用されるプログラム及びデータを格納する。ＲＯＭ２０２６は、アクティブ化時にコンピュータ２０００によって実行されるブートプログラム等、及び／又はコンピュータ２０００のハードウエアに依存するプログラムを格納する。入力／出力チップ２０４０はまた、キーボード、マウス及びモニタ等の様々な入力／出力ユニットをシリアルポート、パラレルポート、キーボードポート、マウスポート、モニタポート、ＵＳＢポート、ＨＤＭＩ（登録商標）ポート等の入力／出力ポートを介して、入力／出力コントローラ２０２０に接続してよい。
【０１０９】
プログラムは、ＣＤ−ＲＯＭ、ＤＶＤ−ＲＯＭ、又はメモリカードのようなコンピュータ可読媒体又はネットワークを介して提供される。ＲＡＭ２０１４、ＲＯＭ２０２６、又はフラッシュメモリ２０２４は、コンピュータ可読媒体の例である。プログラムは、フラッシュメモリ２０２４、ＲＡＭ２０１４、又はＲＯＭ２０２６にインストールされ、ＣＰＵ２０１２によって実行される。これらのプログラム内に記述される情報処理は、コンピュータ２０００に読み取られ、プログラムと上記様々なタイプのハードウエアリソースとの間の連携をもたらす。装置又は方法が、コンピュータ２０００の使用に従い情報のオペレーション又は処理を実現することによって構成されてよい。
【０１１０】
例えば、コンピュータ２０００及び外部デバイス間で通信が実行される場合、ＣＰＵ２０１２は、ＲＡＭ２０１４にロードされた通信プログラムを実行し、通信プログラムに記述された処理に基づいて、通信インタフェース２０２２に対し、通信処理を命令してよい。通信インタフェース２０２２は、ＣＰＵ２０１２の制御下、ＲＡＭ２０１４及びフラッシュメモリ２０２４のような記録媒体内に提供される送信バッファ処理領域に格納された送信データを読み取り、読み取った送信データをネットワークに送信し、ネットワークから受信された受信データを、記録媒体上に提供される受信バッファ処理領域等に書き込む。
【０１１１】
また、ＣＰＵ２０１２は、フラッシュメモリ２０２４等のような記録媒体に格納されたファイル又はデータベースの全部又は必要な部分がＲＡＭ２０１４に読み取られるようにし、ＲＡＭ２０１４上のデータに対し様々な種類の処理を実行してよい。ＣＰＵ２０１２は次に、処理されたデータを記録媒体にライトバックする。
【０１１２】
様々なタイプのプログラム、データ、テーブル、及びデータベースのような様々なタイプの情報が記録媒体に格納され、情報処理にかけられてよい。ＣＰＵ２０１２は、ＲＡＭ２０１４から読み取られたデータに対し、本明細書に記載され、プログラムの命令シーケンスによって指定される様々な種類のオペレーション、情報処理、条件判断、条件分岐、無条件分岐、情報の検索／置換等を含む、様々な種類の処理を実行してよく、結果をＲＡＭ２０１４にライトバックする。また、ＣＰＵ２０１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ２０１２は、第１の属性の属性値が指定されている、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【０１１３】
上で説明したプログラム又はソフトウェアモジュールは、コンピュータ２０００上又はコンピュータ２０００近傍のコンピュータ可読媒体に格納されてよい。専用通信ネットワーク又はインターネットに接続されたサーバーシステム内に提供されるハードディスク又はＲＡＭのような記録媒体が、コンピュータ可読媒体として使用可能である。コンピュータ可読媒体に格納されたプログラムを、ネットワークを介してコンピュータ２０００に提供してよい。
【０１１４】
コンピュータ２０００にインストールされ、コンピュータ２０００を管理サーバ４０として機能させるプログラムは、ＣＰＵ２０１２等に働きかけて、コンピュータ２０００を、管理サーバ４０の各部としてそれぞれ機能させてよい。これらのプログラムに記述された情報処理は、コンピュータ２０００に読込まれることにより、ソフトウエアと上述した各種のハードウエア資源とが協働した具体的手段である選択部２００、通知制御部２３０、容量情報取得部２４０、容量提示制御部２５０、対価制御部２７０、送受電制御部２８０、需要情報取得部２９０、対価情報格納部２８２及び履歴格納部２８４として機能する。そして、これらの具体的手段によって、本実施形態におけるコンピュータ２０００の使用目的に応じた情報の演算又は加工を実現することにより、使用目的に応じた特有の管理サーバ４０が構築される。
【０１１５】
様々な実施形態が、ブロック図等を参照して説明された。ブロック図において各ブロックは、（１）オペレーションが実行されるプロセスの段階又は（２）オペレーションを実行する役割を持つ装置の各部を表わしてよい。特定の段階及び各部が、専用回路、コンピュータ可読媒体上に格納されるコンピュータ可読命令と共に供給されるプログラマブル回路、及び／又はコンピュータ可読媒体上に格納されるコンピュータ可読命令と共に供給されるプロセッサによって実装されてよい。専用回路は、デジタル及び／又はアナログハードウエア回路を含んでよく、集積回路（ＩＣ）及び／又はディスクリート回路を含んでよい。プログラマブル回路は、論理ＡＮＤ、論理ＯＲ、論理ＸＯＲ、論理ＮＡＮＤ、論理ＮＯＲ、及び他の論理オペレーション、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウエア回路を含んでよい。
【０１１６】
コンピュータ可読媒体は、適切なデバイスによって実行される命令を格納可能な任意の有形なデバイスを含んでよく、その結果、そこに格納される命令を有するコンピュータ可読媒体は、処理手順又はブロック図で指定されたオペレーションを実行するための手段をもたらすべく実行され得る命令を含む製品の少なくとも一部を構成する。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【０１１７】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【０１１８】
コンピュータ可読命令は、汎用コンピュータ、特殊目的のコンピュータ、若しくは他のプログラム可能なデータ処理装置のプロセッサ又はプログラマブル回路に対し、ローカルに又はローカルエリアネットワーク（ＬＡＮ）、インターネット等のようなワイドエリアネットワーク（ＷＡＮ）を介して提供され、説明された処理手順又はブロック図で指定されたオペレーションを実行するための手段をもたらすべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【０１１９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、特許請求の範囲の記載から明らかである。
【０１２０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１２１】
１０  電力網
１２  発電設備
１４  定置バッテリ
２０  充放電設備
２２  充放電ケーブル
３０  車両
３２  バッテリ
４０  管理サーバ
４２  処理部
４６  通信部
４８  格納部
５０  電力取引サーバ
８０  ユーザ
８２  ユーザ端末
１００  送受電システム
１５０  商業施設
２００  選択部
２３０  通知制御部
２４０  容量情報取得部
２５０  容量提示制御部
２７０  対価制御部
２８０  送受電制御部
２８２  対価情報格納部
２８４  履歴格納部
２９０  需要情報取得部
６００  領域
６０１  ライン
６０２  ライン
９００  通知画面
９１０  通知オブジェクト
９１２  情報
９１４  情報
１１００  通知画面
１１１０  通知オブジェクト
１１１２  情報
１１１４  情報
２０００  コンピュータ
２０１０  ホストコントローラ
２０１２  ＣＰＵ
２０１４  ＲＡＭ
２０２０  入力／出力コントローラ
２０２２  通信インタフェース
２０２４  フラッシュメモリ
２０２６  ＲＯＭ
２０４０  入力／出力チップ
【図１】
2020115704.tif 000003
【図２】
2020115704.tif 000004
【図３】
2020115704.tif 000005
【図４】
2020115704.tif 000006
【図５】
2020115704.tif 000007
【図６】
2020115704.tif 000008
【図７】
2020115704.tif 000009
【図８】
2020115704.tif 000010
【図９】
2020115704.tif 000011
【図１０】
2020115704.tif 000012
【図１１】
2020115704.tif 000013
【図１２】
2020115704.tif 000014
【図１３】
2020115704.tif 000015